(57)【要約】【課題】耕運機のエンジン動力、減速機構および前後進切り替え機構を利用して、薪の長さが不特定で且つ、切り口が平面でない薪でも、安全に薪割りができる構造簡単で安価なネジ式薪割機を提供する。【解決手段】上記課題を達成するため、固定台３に横に寝かせての薪割が可能になれば、薪の形状にとらわれない薪割が可能となる。回転しているネジ式薪割機１に押し付けて薪を割ると、割れた下側半分の薪は固定台３と該円錐ネジ２の間に喰いこみ、薪が外れなくなる場合がある。そのような時に、耕運機のトランスミッション１４の走行レンジをバックＢにすることで、円錐ネジ２が逆転し、喰い込んだ薪を容易に外すことが可能となる。【選択図】図３
2017080919.tif 000002
【特許請求の範囲】
【請求項１】
エンジン動力、減速機構および前後進切り替え機構を有する耕運機において、該耕運機の車軸に連結されたタイヤを円錐ネジ状の刃具に置き換えれる構成とし、そして、耕運機の適切な場所にボルト手段で固定された固定台を具備し、該固定台に薪を横に寝かせて割れることを特徴とするネジ式薪割機
【発明の詳細な説明】
【技術分野】
【０００１】
本発明は、円錐形状の刃具を有するネジ式薪割機に関するもので、一般的な農耕用の耕運機のタイヤを外して、円錐状の刃具を簡単に取り付け、耕運機の動力、減速機構および前後進切り替え機構を利用して、どのような形状の薪でも安全に割ることができる構造簡単なネジ式薪割機に関する。
【背景技術】
【０００２】
薪割機には油圧式で、薪に刃を当てて縦に割るものが一般的であるが、近年、構造が簡単で安価なネジ式薪割機が普及している。（図1）電動モータ或いはエンジンで駆動され、プーり等で減速され、そして、二対の軸受で支承されたネジ式円錐刃具を回転させながら薪に喰いこませて割る方式である。
このようなネジ式薪割機は薪を所定の長さで、切り口が平面でほぼ水平となるように予め裁断しておく必要がある。そして、薪を垂直に立てて手で支えながら回転するネジ式薪割機のネジ先端に押付け、そして、ネジが十分に喰いこんだ後も薪が倒れないように手で支え続け作業をする必要があった。このように回転する薪割機の直近で常に作業せねばならないのは不安全といえる。
薪の切り口がどのような形状でも安全に薪を割には薪を縦でなく横に寝かせた方が良い。しかし、薪を横に寝かせ、回転するネジ式薪割機に押し付けて薪を割ると、割れた際にネジの下にある半分の薪は台とネジ式刃具の間に喰いこむ。そのため、割れた片方の薪が抜けなくなるという問題が生じるため縦割りが一般化した。
また、大きくて硬い薪材料を所定の長さに切断したり、割るには大きな動力が必要となり、大きなモータやエンジンおよび減速機構が必要となり、機械は大きく、重く、更に、高価なものとなった。
【０００３】
一方、農耕用の耕運機は、農作業で使用する期間が短く、殆どの期間使用されずに倉庫で眠っているのが現状である。耕運機は移動するための前進および後進の機能そして、耕運時の前進および後進機能を有しており、エンジンの馬力も大きいものが多い。
【０００４】
農閑期中の耕運機の動力、減速機構および前後進切り替え機構を有効に活用した上で、長さが不特定で且つ、切り口が平面でない薪でも、安全に薪割りができる構造簡単で安価なネジ式薪割機が提供できれば農家の副業として広く普及することが想定できる。
【先行技術文献】
【特許文献】
【０００５】
【特許文献１】実願昭６２−１４２５３１
【特許文献２】実願昭６２−１４２５３２
【発明の概要】
【発明が解決しようとする課題】
【０００６】
耕運機のエンジン動力、減速機構および前後進切り替え機構を利用して、薪の長さが不特定で且つ、切り口が平面でない薪でも、安全に薪割りができる構造簡単で安価なネジ式薪割機を提供する。
【課題を解決するための手段】
【０００７】
上記課題を達成するため、固定台３に横に寝かせての薪割が可能になれば、薪の形状にとらわれない薪割が可能となる。回転しているネジ式薪割機１に押し付けて薪を割ると、割れた下側半分の薪は固定台３と該円錐ネジ２の間に喰いこみ、薪が外れなくなる場合がある。そのような時に、耕運機のトランスミッション１４の走行レンジをバックＢにすることで、円錐ネジ２が逆転し、喰い込んだ薪を容易に外すことが可能となる。
また,耕運機の適切な場所にボルトなどで固定された固定台３および支持台１６は、円錐ネジ２の回転力で薪が回転しようとする反力を抑制する構成となっている。そして、大木１７を固定台３に横に寝かせた状態で、回転する円錐ネジ２が該大木１７に少し食い込むところまで手を添えて押し込むと、引き続き円錐ネジ２のネジ作用で自然に喰い込みながら薪を割っていくため、安全な薪割り作業が行える。
【発明の効果】
【０００８】
本発明のネジ式薪割機１は薪を横に固定台３に寝かせて、薪割り作業ができるのが大きな特徴である。そのため、長さが不特定で且つ、切り口が平面でない薪でも安全に薪割りができる利点がある。
また、耕運機のエンジン動力、前後進切り替え機構を利用しているため、円錐ネジ２および固定台３や支持台１６を付加するだけで構造簡単で安価で強力なネジ式薪割機となる。
【図面の簡単な説明】
【０００９】
【図１】図１は従来のネジ式薪割機の一般的な構造と薪を横に寝かせて割った場合の問題点を具体的に示す。
【図２】図２は従来の一般的な耕運機の構造を示す。
【図３】図３は本発明のネジ式薪割機の実施例を示す。
【発明を実施するための形態】
【００１０】
農閑期中の耕運機の動力、減速機構および前後進切り替え機構を有効に活用したことで、長さが不特定で且つ、切り口が平面でない薪でも安全に薪割りができることが実現した。
【実施例１】
【００１１】
図３は、本発明の全体を示す。本発明のネジ式薪割機１はエンジン１５、ベルトクラッチ１１、トランスミション１４、差動装置５、および車軸１０に動力を伝達する動力伝達機構を有する。そして、前記トランスミション１４は走行と作業の切り替え、変速、および前後進の切り替え機能を有している。
そして、エンジン１５を始動し、トランスミッション１４を走行レンジのＬレンジ或いはＨレンジにシフトした状態でベルトクラッチ１１を入れると、前記車軸１０が正回転し、走行レンジのバックＢに入れると該車軸が逆転する構成となっている。
一方、耕運機のタイヤ４と連結スリーブ７を固定するタイヤ固定ピン８を抜き、該タイヤ４のタイヤハブ６から外し、そして、該連結スリーブ７に勘合し、車軸１０とを固定する軸固定ピン９および該連結スリーブ７を外した後に、円錐ネジ２に形成された軸穴２ｂを前記車軸１０に勘合せしめ、その後、該軸固定ピン９で固定することで、耕運機からネジ式薪割機1に換わる。
更に、固定台３が大木１７を横たえ、スライドして円錐ネジ２のネジ２aに喰いこむのを補助するように配置されている。そして、該円錐ネジ２が薪に喰いこみ、本体を回転させようとする反力を受けるため該固定台３および支持台１６を耕運機の適切な場所にボルトなどで固定した構成となっている。
勿論、逆の手順でネジ式薪割機１を分解し、タイヤ４などを組み付けていくと再び、元の耕運機に簡単に戻すことも自在である。
【産業上の利用可能性】
【００１２】
農作業時は耕運機として、農閑期中は大きな費用もかけずに薪割機に切り替えることができる。
【符号の説明】
【００１３】
１  ネジ式薪割機
２  円錐ネジ
３  固定台
４  タイヤ
５  差動装置
６  タイヤハブ
７  連結スリーブ
８  タイヤ固定ピン
９  軸固定ピン
１０車軸
【図１】
2017080919.tif 000003
【図２】
2017080919.tif 000004
【図３】
2017080919.tif 000005